(57)【要約】【構成】高電圧ユニットとイオン又はオゾン発生体とを備え、このイオン又はオゾン発生体に空気を供給するとともに前記高電圧ユニットからの高電圧を印加してイオン又はオゾンを発生させるオゾン発生装置において、前記高電圧ユニットに対して前記イオン又はオゾン発生体を着脱可能にしたイオン又はオゾン発生装置である。【効果】当該発生装置はそのままの状態で、イオン又はオゾン発生体のみを前記高電圧ユニットから取り外し新規なものに取り替えることができる。このため、イオン又はオゾン発生体が不良になった場合にも当該発生装置全体を取り替える必要はないため、従来に比し、取り替えコストを低額化できるとともに取り替え作業が簡易になりその作業能率を向上させることができる。【選択図】    図１
0003102622.tif 000002
【実用新案登録請求の範囲】
【請求項１】
高電圧ユニットとイオン又はオゾン発生体とを備え、このイオン又はオゾン発生体に空気を供給するとともに前記高電圧ユニットからの高電圧を印加してイオン又はオゾンを発生させるオゾン発生装置において、前記高電圧ユニットに対して前記イオン又はオゾン発生体を着脱可能にしたことを特徴とするイオン又はオゾン発生装置。
【請求項２】
請求項１のイオン又はオゾン発生装置において、前記高電圧ユニットにおける前記イオン又はオゾン発生体連設面に通電用ソケットを突設するとともに前記イオン又はオゾン発生体に通電用ピンを突設し、この通電用ピンを前記通電用ソケットに着脱可能にしたことを特徴とするイオン又はオゾン発生装置。
【請求項３】
請求項２のイオン又はオゾン発生装置において、前記通電用ソケットが前記高電圧ユニットに突設されていることを特徴とするイオン又はオゾン発生装置。
【請求項４】
請求項２又は請求項３のイオン又はオゾン発生装置において、前記イオン又はオゾン発生体を密封ケースの内壁面に前記突設するとともに前記密封ケースの外壁面に前記通電用ピンを突設し、この通電用ピンを介して前記イオン又はオゾン発生体に通電可能としたことを特徴とするイオン又はオゾン発生装置。
【請求項５】
請求項４のイオン又はオゾン発生装置において、前記通電ピンは前記密封ケースを貫通し、前記イオン又はオゾン発生体に繋がれていることを特徴とするイオン又はオゾン発生装置。
【請求項６】
請求項１，請求項２又は請求項３のイオン又はオゾン発生装置において、前記イオン又はオゾン発生体を格子ケースの内部に配置したことを特徴とするイオン又はオゾン発生装置。
【考案の詳細な説明】
【技術分野】
【０００１】  この考案はイオン又はオゾン発生装置に関し、日常生活におけるイオン又はオゾンの発生源として汎用的に使用されるものである。
【背景技術】
【０００２】  従来におけるこの種のイオン又はオゾン発生装置は、高電圧ユニットとイオン又はオゾン発生体とを備え、このイオン又はオゾン発生体に空気を供給しながら前記高電圧ユニットからの高電圧を印加してイオン又はオゾンを発生させていた。【０００３】
【特許文献１】実開平０５−０６９１２６
【特許文献２】実開平０６−０７６３３９
【特許文献３】実開平０５−１２７９０４
【特許文献４】特開平０７−２４７１０３
【考案の開示】
【考案が解決しようとする課題】
【０００４】  しかしながら、かかる従来のイオン又はオゾン装置にあっては、イオン又はオゾン発生体が高電圧ユニットに一体的に固定されていたため、イオン又はオゾン発生体が不良になった場合にも当該発生装置全体を取り替えなければならず、取り替えコストが高額化せざるをえない取り替え作業に手間が書かざるをえないといういう不都合を有した。【０００５】  この考案の課題はかかる不都合を解消することである。
【課題を解決するための手段】
【０００６】  上記課題を達成するために、この考案に係るイオン又はオゾン発生装置においては、高電圧ユニットとイオン又はオゾン発生体とを備え、このイオン又はオゾン発生体に空気を供給するとともに前記高電圧ユニットからの高電圧を印加してイオン又はオゾンを発生させるオゾン発生装置において、前記高電圧ユニットに対して前記イオン又はオゾン発生体を着脱可能にしたものである。【０００７】また、前記高電圧ユニットにおける前記イオン又はオゾン発生体連設面に通電用ソケットを突設するとともに前記イオン又はオゾン発生体に通電用ピンを突設し、この通電用ピンを前記通電用ソケットに着脱可能にすることもできる。【０００８】また、前記イオン又はオゾン発生体を密封ケースの内壁面に前記突設するとともに前記密封ケースの外壁面に前記通電用ピンを突設し、この通電用ピンを介して前記イオン又はオゾン発生体に通電可能とすることもできる。【０００９】なお、この場合、前記通電ピンは前記密封ケースを貫通し、前記イオン又はオゾン発生体に繋ぐこともできる。【００１０】また、前記イオン又はオゾン発生体を格子ケースの内部に配置することもできる。
【考案の効果】
【００１１】  この考案に係るイオン又はオゾン発生装置は、高電圧ユニットとイオン又はオゾン発生体とを備え、このイオン又はオゾン発生体に空気を供給するとともに前記高電圧ユニットからの高電圧を印加してイオン又はオゾンを発生させるオゾン発生装置において、前記高電圧ユニットに対して前記イオン又はオゾン発生体を着脱可能にしたため、
当該発生装置はそのままの状態で、イオン又はオゾン発生体のみを前記高電圧ユニットから取り外し新規なものに取り替えることができる。【００１２】  このため、イオン又はオゾン発生装置を使用すれば、イオン又はオゾン発生体が不良になった場合にも当該発生装置全体を取り替える必要はないため、従来に比し、取り替えコストを低額化できるとともに取り替え作業が簡易になりその作業能率を向上させることができる。【００１３】  また、前記高電圧ユニットにおける前記イオン又はオゾン発生体連設面に通電用ソケットを突設するとともに前記イオン又はオゾン発生体に通電用ピンを突設し、この通電用ピンを前記通電用ソケットに着脱可能にすれば、前記イオン又はオゾン発生体の通電用ピンを高電圧ユニットの通電用ソケットに差し込み・差し抜くことによって、イオン又はオゾン発生体の着脱ができるため、その作業は更に簡易になり作業能率は一層向上する。【００１４】  なお、前記通電用ソケットが高電圧ユニットに突設されていれば、この通電用ソケットがイオン又はオゾン発生体の支柱の役目をするので、前記高電圧ユニットに対して前記イオン又はオゾン発生体を安定良く支持することができる。【００１５】  また、前記イオン又はオゾン発生体を密封ケースの内壁面に前記突設するとともに前記密封ケースの外壁面に前記通電用ピンを突設し、この通電用ピンを介して前記イオン又はオゾン発生体に通電可能とすれば、作業者は、この密封ケースを把持して、前記イオン又はオゾン発生体を取り替えることができるため、作業者の手が前記イオン又はオゾン発生体に触れない状態で、簡易に取り替え作業できるものであり、その取り替え作業の能率はより一層向上する。【００１６】  なお、この場合、前記通電ピンが前記密封ケースを貫通し、前記イオン又はオゾン発生体に繋ぐようにすれば、一本の通電ピンで、前記イオン又はオゾン発生体を前記密封ケースに支持することもできるため、部品点数が少なくてすみ、製造コストが低額化できるとともに製造工程において不良品もでにくいものである。【００１７】  また、前記イオン又はオゾン発生体を格子ケースの内部に配置すれば、空気を自然に前記イオン又はオゾン発生体に供給することができ、且つ、発生したイオン又はオゾンを空気中に自然に拡散させることができるため、簡単な装置で室内等に自然にイオン又はオゾンを供給することができる。特に、イオンの供給に適している。
【実施例】
【００１８】  図１はこの考案に係るイオン又はオゾン発生装置の部分断面正面図、図２は部分断面右側面図、図３は平面図、図４は図１に相当する第二実施例の部分断面正面図、図５は同右側面図、図６は図４におけるＶＩ矢視図、図７は第３実施例の斜視図である。【００１９】  図１〜図３において、１０はイオン・オゾン発生装置（この発明の「イオン又はオゾン発生装置」に相当する）、２０はその高電圧ユニットである。この高電圧ユニット２０は変圧回路を直方体状にモールド成形したものであり、ＤＣ１２Ｖの電流を高電圧の電流に変圧する。２１は係止突出部であり、前記高電圧ユニット２０の上部に段状に一体成形されている。また、２２，２２は一対の通電用ソケットであり、前記係止突出部２１に一体成形された係止筒部２２１と筒奥の導電板２２２とから構成されている。２３はこの高電圧ユニット２０の電源コードである。【００２０】  ３０は透明な密封ケースであり、前記高電圧ユニット２０の係止突出部２１に外嵌めされ、ビス３１，３１によって着脱可能に固定されている。この密封ケース３０の内部はイオン・オゾン発生室として機能する。また、３２は空気供給口であり、前記密封ケース３０に突設されている。この空気供給口３２を介して空気ポンプ（図示せず）によって加圧空気が密封ケース３０内に供給される。３３はイオン・オゾン排出口であり、前記空気供給口３２同様、前記密封ケース３０に突設されている。このイオン・オゾン排出口３３を介して密封ケース３０内で発生したイオン・オゾンガスが排出される。【００２１】次に、５０はイオン・オゾン発生体、５１，５１はこのイオン・オゾン発生体５０の裏面に突設された通電用ピンである。この通電用ピン５１，５１は一対存在し、それぞれ、前記通電用ソケット２２，２２に着脱可能に差し込まれている。通電用ピン５１，５１は前記通電用ソケット２２，２２に差し込まれた状態で、前記導電板２２２，２２２に接触するため、前記高電圧ユニット２０からの高電圧電流が前記イオン・オゾン発生体５０に流れ、イオン・オゾンガスが発生する。【００２２】  図４〜図６は第二実施例を示したものである。この実施例において、６０は底板であり、前記密封ケース３０における開口部３５の僅か奥部の内周縁に接着固定されている。そして、前記密封ケース３０はこの底板６０の固定された状態で、前記高電圧ユニット２０の係止突出部２１に着脱可能に外嵌めされている。固定された状態は、図６に示すように係止具７０で固定することもできる。この係止具７０は、７１は前記密封ケース３０に一体形成された係止受凹部と前記高電圧ユニット２０に一体形成された係止突起７２とから構成され、この係止突起７２は前記係止受凹部７１に弾性的に侵入した状態で係止されたり、また、弾性的に解除される。なお、係止具７０はこの実施例のものに限定されるものではない。【００２３】  また、通電用ピン５１，５１は前記底板６０を貫通して、前記通電用ソケット（高電圧ユニット２０の）２２，２２に着脱可能に差し込まれている。前記通電用ピン５１，５１はボルト状であり、前記底板６０にナット５３によって締め付け固定されている。この実施例では、前記通電用ピン５１，５１を一体的なもの��して形成したが、前記密封ケース３０内の部分と前記底板６０から突出した部分とを別体（通電可能な状態の）形成することもできる。【００２４】  第７図は第３実施例を示したものであり、第二実施例において前記密封ケース３０の代わりに、格子ケース９０を使用したものである。この格子ケース９０を使用すれば、前記イオン・オゾン発生体５０に大気中の空気が自由に供給されるとともに発生したイオンおよびオゾンが自由に大気中に拡散されるものである。この格子ケース９０を使用したものは主としてイオンを発生する場合に使用される。なお、図示はしないが、第一実施例における前記密封ケース３０の代わりに、この格子ケース９０を使用しても同様な効果を得ることができる。
【産業上の利用可能性】
【００２５】  高電圧ユニットはそのままで、イオン又はオゾン発生体のみを交換することができるため、イオン又はオゾン発生体が不良状態になったときに、簡易に、正常な状態に戻す装置として利用することができる。
【図面の簡単な説明】
【００２６】
【図１】この考案に係るイオン又はオゾン発生装置の部分断面正面図である。
【図２】部分断面右側面図である。
【図３】平面図である。
【図４】図１に相当する第二実施例の部分断面正面図である。
【図５】同右側面図である。
【図６】図４におけるＶＩ矢視図である。
【図７】第３実施例の斜視図である。
【符号の説明】
【００２７】１０…イオン・オゾン発生装置（イオン又はオゾン発生装置）
２０…高電圧ユニット
２２…通電用ソケット
３０…密封ケース
５０…イオン・オゾン発生体
５１…通電用ピン
６０…底板
【図１】
0003102622.tif 000003
【図２】
0003102622.tif 000004
【図３】
0003102622.tif 000005
【図４】
0003102622.tif 000006
【図５】
0003102622.tif 000007
【図６】
0003102622.tif 000008
【図７】
0003102622.tif 000009